(57)【特許請求の範囲】
【請求項１】
ファンの上流側の吸引経路と前記ファンの下流側の送風経路とを内蔵する本体と、後端の円筒部を介して円筒部の軸線を中心に回転可能に上記本体に取り付けられるノズルとを備え、ノズル内には先端から後端へと伸び後端にて円筒部の半径方向に偏心した一本の経路を形成し、円筒部内には前記一本の経路と仕切りにより区切られた別の経路を形成し、前記ファンを一方向に回転させることにより前記吸引経路から前記送風経路へと送風し、ノズルを軸線の回りに所定角度だけ回すことによって前記一本の経路を前記吸引経路に、前記別の経路を前記送風経路に夫々連通させてノズルの先端から吸引し、ノズルを所定角度だけ反対方向に回すことによって前記一本の経路を前記送風経路に、前記別の経路を前記吸引経路に夫々連通させてノズルの先端から送風するようにしたことを特徴とする吸引・送風装置のモード切換機構。
【請求項２】
前記ノズルと前記本体とには、前記ノズルの回転を所定の位置で停止させる位置決め手段が設けられていることを特徴とする請求項１に記載の吸引・送風装置のモード切換機構。
【請求項３】
前記ノズルと前記本体とには、前記ノズルが所定範囲内を超えて回転するのを防止する回転範囲規制手段が設けられていることを特徴とする請求項１又は２に記載の吸引・送風装置のモード切換機構。
【発明の詳細な説明】
【０００１】
【発明の属する技術分野】
本発明は、切屑等を集塵、飛散させるための吸引・送風装置のモード切換機構に関する。
【０００２】
【従来の技術】
従来から切屑等を吸引して集塵したり、吹き飛ばして飛散させるために吸引・送風装置が使用されている。本件出願人は、このような吸引・送風装置について特願平９−５２９９８６号にて既に開示している。当該出願明細書に記載の吸引・送風装置５０は、図７に示すように、電気モータ５１により駆動されるファン５２と、このファン５２の上流側に設けられた吸引経路としてのバキュームノズル５３と、ファン５２の下流側に設けられた送風経路としてのブロワノズル５４とを有していて、これらの経路が吸引・送風装置５０の前後に延びるノズル５５の内部で上下に配されてノズル５５の延びる方向に沿って平行に延びている。ファン５２は、バキュームノズル５３の後端部に設けられ、ファン５２の正面が吸引経路の後端面と対向している。
【０００３】
この装置では、切換ユニット５６のつまみ５７を回転させて、ファン５２からの送風を、集塵袋５８に通ずるダストノズル５９又はブロワノズル５４のいずれか一方に択一的に導入させている。
【０００４】
この吸引・送風装置５０は、吸引と送風とのモード切換を部品の交換をすることなく、つまみの回転のみで行うことができる点で操作性に優れている。
【０００５】
【発明が解決しようとする課題】
しかし、このような吸引・送風装置であっても、モードの切換は、切換用のユニットを装置に内蔵しなければならず、小型の装置には適用困難であるだけなく、部品点数が多くなっていた。
【０００６】
そこで、本発明では、小型の装置にも適用でき、かつ、少ない部品点数で吸引・送風装置を構成でき、容易に吸引モードと送風モードとの切換えが可能な吸引・送風装置のモード切換機構を提供する。
【０００７】
【課題を解決するための手段】
請求項１の発明では、上記課題を解決するために、ファン（８）の上流側の吸引経路（１５）と前記ファン（８）の下流側の送風経路（１６）とを内蔵する本体（２）と、後端の円筒部（３０）を介して円筒部（３０）の軸線を中心に回転可能に上記本体（２）に取り付けられるノズル（３）とを備え、ノズル（３）内には先端（３ａ）から後端（３ｂ）へと伸び後端（３ｂ）にて円筒部（３０）の半径方向に偏心した一本の経路（３３）を形成し、円筒部（３０）内には前記一本の経路（３３）と仕切り（３４）により区切られた別の経路（３５）を形成し、前記ファン（８）を一方向に回転させることにより前記吸引経路（１５）から前記送風経路（１６）へと送風し、ノズル（３）を軸線の回りに所定角度だけ回すことによって前記一本の経路（３３）を前記吸引経路（１５）に、前記別の経路（３５）を前記送風経路（１６）に夫々連通させてノズル（３）の先端（３ａ）から吸引し、ノズル（３）を所定角度だけ反対方向に回すことによって前記一本の経路（３３）を前記送風経路（１６）に、前記別の経路（３５）を前記吸引経路（１５）に夫々連通させてノズル（３）の先端（３ａ）から送風するようにした吸引・送風装置のモード切換機構を採用した。
【０００９】
また、請求項２の発明では、請求項１の吸引・送風装置（１）のモード切換機構において、前記ノズル（３）と前記本体（２）とには、前記ノズル（３）の回転を所定の位置で停止させる位置決め手段（４１，４２，４４）が設けられていることを特徴とする。
【００１０】
さらに、請求項３の発明では、請求項１または請求項２の吸引・送風装置（１）のモード切換機構において、前記ノズル（３）と前記本体（２）とには、前記ノズル（３）が所定範囲内を超えて回転するのを防止する回転範囲規制手段（４６，４７，４８）が設けられていることを特徴としている。
【００１１】
【発明の実施の形態】
以下、本発明の実施の形態について図面を参照しながら説明する。なお、説明の便宜のため、方向について次のように定義して説明をする。吸引・送風装置１に対し前方をＳ方向、後方をＲ方向、上方をＴ方向、下方をＵ方向とする。また、吸引・送風装置を前方から見て、右方向をＹ方向、左方向をＸ方向とする。これらは適宜図面に記載する。
【００１２】
図１及び図２は、本発明の一実施形態にかかる吸引・送風装置１の外観を示している。この吸引・送風装置１は、例えば送風して切り屑を飛散させたり、切り屑等を吸引して集塵するときに使用するもので、吸引・送風装置１の本体２と、この本体２の前部から前方（Ｓ方向）に延びるように取付けられた先細り状のノズル３とから構成されている。本体２の下部には、吸引された切り屑等を集積しておく集塵部４が設けられ、本体２の上部には上方（Ｔ方向）に突出するように形成され、当該吸引・送風装置１を手で持つためのハンドル５が設けられている。この吸引・送風装置１は電気モータ１０（図３参照）で駆動されるもので、本体２の後部には電気モータ１０に接続されている電源コード６が外部に延びている。
【００１３】
図３は、吸引モードにおける吸引・送風装置１を前後方向に切断した断面図を示している。なお、この図から明らかなように、ノズル３はその後部が本体２の前部に挿入されて取付けられている。
【００１４】
本体２には、ノズル３の先端３ａから吸引・送風装置１内に外気を吸引すると共に集塵部４内に空気を送り出すためのファン８が、ほぼ中央部に設けられている。このファン８はその正面が前方（Ｓ方向）の斜め上方を向くように傾けて配されており、吸引・送風装置１の後部に内蔵された電気モータ１０の回転軸１１に取り付けられている。ファン８の前方（Ｓ方向）には、ノズル３から吸引された空気が流れる吸引経路１５と、当該ファン８から送られる空気が流れる送風経路１６とが形成されている。
【００１５】
吸引経路１５は、本体２の上部で前後（Ｓ−Ｒ方向）に延びるように形成され、本体２の前部に取付けられたノズル３の後述する経路３３とファン８の正面部分とを連通している。一方、送風経路１６は、ファン８の下側から前方（Ｓ方向）に向けて延び、本体２の前部に取付けられたノズル３の後述する経路３５に連通している。これら吸引経路１５と送風経路１６とは、本体２に取付けられたノズル３の直後の位置で上下方向（Ｔ−Ｕ方向）において壁２ａで仕切られて隣接して配されている。
【００１６】
また、本体２の前部には、これら吸引経路１５と送風経路１６に連通し、ノズル３の後部を内部に挿入させてこの本体２に取り付けるための取付孔１８が形成されている。取付孔１８は、本体２の前端から所定の深さだけ形成され、その内周面には入口部及び底部において周面に沿って溝１９，１９がそれぞれ形成されている。
【００１７】
この取付孔１８の上部には、ハンドル５の前端の位置に、送風モードのときに吸引経路１５に外気を導入するための通気孔２０が形成されている。ハンドル５の前端部には外気を内部に取り込むことができるように吸引・送風装置１の前後に延びるように形成されたスリット状の孔２１‥２１が複数形成され、通気孔２０と外部とを連通させている。一方、取付孔１８の下方（Ｕ方向）には、本体２の下部に設けられた集塵部４に通ずる連絡路２３が形成されている。
【００１８】
本体２の前部に取付けられたノズル３は、前部が先細り状に形成されていて、後端面から所定の長さの部分に一定の径の円筒部３０が形成されている。この円筒部３０の外周面には、その後端部と前部とに周方向に沿って形成された突条３１，３１がそれぞれ形成されている。ノズル３は、この円筒部３０が本体２の取付孔１８に挿入され、これら突条３１，３１が取付孔１８の内周面に形成された溝１９，１９に係合して本体２からの抜け出しが防止されると共に、ノズル３の軸線を中心に回転可能に取付けられている。
【００１９】
このノズル３の内部には、当該ノズル３の先端３ａと後端３ｂとを連絡する経路３３が形成されている。この経路３３の後端３ｂは、円筒部３０の上側に偏心して形成されており、ノズル３の先端３ａと本体２の上側に形成された吸引経路１５とを連通させている。また、円筒部３０の内部には、ノズル３の後端３ｂの下部と円筒部３０の側面とを連通している別の経路３５が形成されている。この経路３５は後端３ｂから前方（Ｓ方向）に向けて延び、円筒部３０の軸方向中央部分でこの図の下側に湾曲しており、円筒部３０の下側面で外部と連通する開口部３６を形成している。本図の状態では、この経路３５は円筒部３０の下方（Ｕ方向）に形成された集塵部４に通ずる連絡路２３と連通している。
【００２０】
本図に示す吸引モードの状態にあっては、電気モータ１０によりファン８が回転駆動されるとノズル３の先端３ａから外気と共に切り屑等が吸引される。吸引された切り屑等はノズル３内の経路３３を通り、ノズル３の後端３ｂで本体２の吸引経路１５に送られる。さらに切り屑等は吸引経路１５を進み、ファン８の位置に到達する。ファン８を通過した後、切り屑等はこのファン８が引き起こす送風によりファン８の下流側に形成された送風経路１６へ送られる。送風経路１６を通過した後、切り屑等はノズル３の後端３ｂから円筒部３０の下部に形成された経路３５へ送られ、この経路３５を通過して本体２の下部に設けられた集塵部４へ集積される。
【００２１】
一方、図４は送風モードに切換えたノズル３の状態を示している。この図から明らかなように、送風モードでは、ノズル３がその軸を中心に１８０度回転されて、ノズル３の先端３ａとノズル３の後端３ｂとを連通している経路３３はノズル後部の円筒部３０で下側（Ｕ方向）に位置し、円筒部３０の側面とノズル３の後端３ｂとを連通する経路３５は上側（Ｔ方向）に位置している。このため、経路３３は本体２の送風経路１６と連通し、経路３５は本体２上面に形成された通気孔２０と本体２の吸引経路１５とを連通させている。また、このとき、集塵部４に通じる連絡路２３はノズル３の円筒部３０により閉鎖されている。
【００２２】
このため、ファン（図３の符号８）が駆動されると、通気孔２０から外気が導入され、経路３５を通過して本体２の吸引経路１５へ送られる。そして、この空気がファン（図３の符号８）まで到達すると、その後はファン（図３の符号８）により送風経路１６へ送られる。その後、空気は送風経路１６からノズル３の経路３３へ送られ、ノズル３の先端３ａから外部へ吹き出される。
【００２３】
このように、この吸引・送風装置１では、本体２に対するノズル３の相対位置を変更することにより吸引モードと送風モードの切換えを行う。
【００２４】
図５及び図６は、モード切換え時のノズル３の本体２への取付けの様子を示す横断面図である。図５がＬ−Ｌ断面、図６がＭ−Ｍ断面をそれぞれ示している。これらの図に示すように、経路３３と経路３５とはノズル３の円筒部３０を直径方向に横切る仕切り３４により区切られている。
【００２５】
また、図５に示すように、ノズル３の円筒部３０の外周面には、仕切り３４の両端部に相当する位置に凹状の係止溝４１，４２がノズル３軸方向に延びるようにそれぞれ形成されている。一方、このノズル３を保持している本体２の取付孔１８には、吸引・送風装置１の左右方向（Ｘ−Ｙ方向）の片側に矩形状の部屋４３が形成されており、この部屋４３内に板ばねで形成された係止具４４が保持されている。この係止具４４は、上下端が外側に向けて折り曲げられている一方、中心部にはノズル３側に向けて突出する係止爪４５が形成されている。
【００２６】
これら係止溝４１，４２及び係止具４４は、ノズル３の回転位置を図５（ａ）に示す吸引モード及び図５（ｃ）に示す送風モードの位置で停止させて位置決めする位置決め手段として機能している。図５（ａ）に示す吸引モードの状態では、一方の係止溝４１に本体２に保持された係止具４４の係止爪４５が嵌まり込んで、ノズル３の回転位置を停止させている。この状態からノズル３を図５（ｂ）に示すように反時計方向に回転させると、係止溝４１の側面で係止爪４５を半径方向外側に押し上げて、嵌まり込んでいた係止具４４の係止爪４５を当該係止溝４１から離脱させる。そして、経路３５が上側に、経路３３が下側に配されるようにノズル３を１８０度回転させると、図５（ｃ）に示すように、他方の係止溝４２に係止具４４の係止爪４５が嵌まり込んで、ノズル３を送風モードの位置に停止させる。
【００２７】
一方、図６に示すように、Ｍ−Ｍ断面の位置では、ノズル３の外周面には仕切り３４と直交する中心線Ｎが交わる位置に外側に突出する当接部４６が形成されている。これに対し、本体２の取付孔１８の上部と下部には、半径方向内側に突出するストッパー４７，４８が形成されている。吸引モードでは、図６（ａ）に示すように、当接部４６がノズル３上部に位置している。この状態では、この当接部４６が上側のストッパー４７に当接して、ノズル３が時計方向へ回転するのを防止している。この状態から図６（ｂ）に示すようにノズル３を反時計方向に回転させると、図６（ｃ）に示すように、経路３３が下側に位置する送風モードに切換わる。図６（ｃ）に示す送風モードでは、ノズル３の外周面に形成された当接部４６はノズル３の下側に位置している。この状態にあっては、当接部４６は本体２の下側に形成されたストッパー４８に当接し、これ以上、ノズル３が反時計方向に回転することを防止している。
【００２８】
このように、当接部４６とストッパー４７，４８とは、ノズル３の回転範囲を図６（ａ）から図６（ｃ）の１８０度の範囲に規制する回転範囲規制手段として機能している。かかる回転範囲規制手段により、図５及び図６に示すように経路３５が形成された部分が図の右側１８０度の範囲でのみ回転するよう規制され、図５に示すように、係止具４４が設けられた左側の１８０度の範囲への回転が防止されている。このため係止具４４が開口部３６から経路３５に落ち込むことはない。
【００２９】
以上の構成を備えたモード切換機構によれば、ノズル３を本体２に対して単に回転させるだけで吸引モードと送風モードとの切換えを行うことができ、モード切換用の特別なユニットを設ける必要が無い。
【００３０】
なお、係止具４４の保持位置を経路３５の開口部３６の位置とノズル３の軸方向においてずらして保持すれば、係止具４４が経路３５の開口部３６に落ち込むことがなくなり、回転範囲規制手段は特に設ける必要がなくなる。また、上記実施例では本体２に形成した吸引経路１５と送風経路１６は壁２ａで仕切り隣接して形成したが、必ずしも隣接させる必要はなく、電気モータ１０の配置に応じて任意に配設することが可能である。
【００３１】
【発明の効果】
以上説明したように、請求項１の発明ではノズル３の本体２との相対位置を変化させて吸引と送風とのモードを切換えるので、モード切換用の特別なユニットを設ける必要が無い。このため、吸引・送風装置１の部品点数を減らし、コストダウンを図れるのみならず、吸引・送風装置１の小型化を容易にする。また、本体２に対してノズル３をその軸を中心にして回転させる構成を採用したので、モード切換機構を平易な構造にすることができ、更に容易に小型化が可能である。
【００３３】
請求項２の発明によれば、請求項１の発明において、ノズル３を確実に吸引モード又は送風モードに対応する位置に係止する。このため、作業者が手軽に、かつ迅速にモードの切換えを行える。
【００３４】
請求項３の発明では、請求項１又は請求項２の発明において、ノズル３を本体２に対して所定の範囲を超えて回転させると不都合な点がある場合に、ノズル３の回転範囲を所望の範囲でのみ回転させることが可能になる。
【図面の簡単な説明】
【図１】本発明のモード切換機構を採用した一実施形態にかかる吸引・送風装置の側面図。
【図２】図１に示した吸引・送風装置の正面図。
【図３】図１に示した吸引・送風装置の吸引モードにおける内部構造を示す吸引・送風装置１の縦断面図。
【図４】図１に示した吸引・送風装置の送風モードにおける内部構造図。
【図５】図３及び図４のＬ−Ｌ断面を示す図。
【図６】図３及び図４のＭ−Ｍ断面を示す図。
【図７】従来から使用されている切換ユニットを備えた吸引・送風装置の１部を示す概略図。
【符号の説明】
１  吸引・送風装置
２  本体
３  ノズル
４  集塵部
５  ハンドル
６  電源コード
８  ファン
１０  電気モータ
１５  吸引経路
１６  送風経路
１８  取付孔
３０  円筒部
３３，３５  経路
３６  開口部
４１，４２  係止溝
４４  係止具
４５係止爪
４６  当接部
４７，４８  ストッパー
【図１】
0003643041.tif 000002
【図２】
0003643041.tif 000003
【図３】
0003643041.tif 000004
【図４】
0003643041.tif 000005
【図５】
0003643041.tif 000006
【図６】
0003643041.tif 000007
【図７】
0003643041.tif 000008